(57)【要約】本発明は、ユーザーの爪先を載置することができ、その高さが残りの部分よりも高くなっている爪先受け部分を有する底（ソール）を具備する機能性履物に関するものである。前記機能性履物の底（ソール）の爪先受け部分が、前記爪先受け部分以外の底（ソール）の残りの部分よりも高く形成されるので、歩行者の爪先は歩行者の足底の他部分よりも高く配置されるようになり、それによって、歩行者が前方向に歩行するときでさえも、後方歩行の運動効果が得られる。【選択図】図１
2009533132.tif 000002
【特許請求の範囲】
【請求項１】
前記底（ソール）が、その前部分に形成されたユーザーの爪先を載置することができる爪先受け部分を具備し、前記爪先受け部分の高さが前記爪先受け部分以外の残りの部分の高さよりも高くなっており、その上にユーザーの爪先が快適に載置することができるように前記爪先受け部分の内端部が凹状の曲面に形成されていることを特徴とする機能性履物。
【請求項２】
前記爪先受け部分の高さが０.５〜１ｃｍであることを特徴とする請求項１に係る機能性履物。
【発明の詳細な説明】
【技術分野】
【０００１】
本発明は、機能性履物（フットウェア）に関するものであり、特に、 ユーザーの爪先を載置することができ、その高さが残りの部分よりも高くなっている爪先受け部分を有する底（ソール）を具備する機能性履物に関するものである。
【背景技術】
【０００２】
社会生活と経済の緩やかな発展とともに健康に対する関心が高まっており、日常生活で容易に行える簡単な運動が定着している。特に、年齢や性別に関係なく誰もが親しめ、特別な機器・設備や費用なしに楽しめる安全な歩行運動は一般的になっている。
【０００３】
かかる歩行運動では、前方歩行だけではなく後方歩行も一般に行われている。後方歩行には、前方歩行では通常使用されない筋肉が刺激され、さらに、ユーザーの足が地面と接触する際に前方歩行よりも衝撃が少ないなどの点で利点がある。さらに、ユーザーが前方歩行の場合と同じ速度で後方向に歩行する際、後方歩行では前方歩行の場合と比べてより大量のカロリーが消費される。
【０００４】
このような次第ではあるが、後方向に歩行する者には、他の歩行者などとの衝突やつまずきの危険があるので、後方歩行は前方歩行に比べて広く行われていない。
【０００５】
履物はかかる歩行運動には不可欠であり、運動効果に絶対的な影響を及ぼすので、歩行運動時における運動効果をさらに高めるため、さまざまな種類の履物が現在推奨されている。
【発明の開示】
【発明が解決しようとする課題】
【０００６】
よって、本発明は従来技術で発生する前述の問題点を解決するためになされたものであり、特別の底（ソール）、すなわち、後方歩行時に発生する危険を取り除き、前方歩行中に後方歩行の運動効果を得ることができるように、その前部分に爪先受け部分が形成され、ユーザーの爪先を載置することができるようになっている底（ソール）を具備する機能性履物を提供することが本発明の目的である。
【課題を解決するための手段】
【０００７】
上記目的を達成するため、本発明によれば、甲（アッパー）、中底（インソール）、及び底（ソール）からなる機能性履物において、前記底（ソール）が、ユーザーの爪先を載置するためにその前部分に形成された爪先受け部分を具備し、前記爪先受け部分の高さが前記爪先受け部分以外の残りの部分の高さよりも高くなっており、その上にユーザーの爪先が快適に載置することができるように前記爪先受け部分の内端部が凹状の曲面に形成されていることを特徴とする機能性履物が提供される。
【０００８】
好ましくは、本底（アウトソール）の爪先受け部分は０.５〜１ｃｍの高さを持つ。
【発明を実施するための最良の形態】
【０００９】
以下、本発明の好適な実施形態を添付図面を参照して詳細に説明する。
【００１０】
図１に示すように、本発明の機能性履物１０は主に、ユーザーの足底を支持するための底（ソール）１４と、ユーザーの足を被装するための甲（アッパー）１２と、前記履物１０内に挿入される中底（インソール）２０と、からなる。好ましくは、前記中底（インソール）２０は、汚れたら取り出されて洗浄され、必要に応じて交換可能に使用されるように、前記履物１０と独立して装着される。本発明によれば、前記機能性履物１０は、ランニングシューズに限定されるものではなく、あらゆる種類の靴を抱合する。
【００１１】
本発明に係る底（ソール）１４は、その上にユーザーの爪先２２を載置することができ、その高さ（ｈ）がその爪先受け部分１６以外の残りの部分よりも高くなっている、その前部分に形成された爪先受け部分１６を有する。ここでは、前記底（ソール）１４の残りの部分の構成は、一般的な底（ソール）１４の構成と同一とする。
【００１２】
一般に、前記底（ソール）１４は本底（アウトソール）と中板（ミッドソール）とからなる。本発明の好適な実施形態に係る機能性履物１０を含む添付図面は、形成された底（ソール）１４を完全に描くものである。しかしながら、分離されて形成された前記本底（アウトソール）及び中板（ミッドソール）を有する場合には、前記中板（ミッドソール）の上側が前記爪先受け部分１６に形成されることが自然である。
【００１３】
一般的に、靴を履いた後方歩行時には、歩行者の爪先２２が上昇され、筋肉の動作は前方歩行時の筋肉動作とは異なる。本発明の機能性履物１０を履いた後方歩行時には、歩行者の爪先２２は上昇された状態に保たれるが、この状態は前方歩行時でさえも保たれる。よって、前方歩行時でさえも、後方歩行の運動効果を得ることができる。
【００１４】
前記爪先受け部分１６の高さ（ｈ）は、好ましくは０.５〜１.０ｃｍの高さを持つように形成される。高さが０.５ｃｍ未満の爪先受け部分１６を有する機能性履物１０を履いた歩行時には、歩行者の爪先２２が十分に高くないために、歩行者は十分な運動効果を得ることができない。さらに、高さが１ｃｍ以上の爪先受け部分１６を有する機能性履物１０を履いた歩行時には、歩行者の爪先２２は過緊張状態になる。従って、０.５〜１ｃｍの高さが前記爪先受け部分１６に最も好適である。
【００１５】
そのうえ、人体の爪先２２は凹状の曲面形状になっているため、前記爪先受け部分１６の内端部は、その上に歩行者の爪先２２が快適に載置されるように凹状の曲面に形成されている。
【００１６】
さらに、図３に示すように、前記爪先受け部分１６は、前記爪先受け部分１６の高さ（ｈ）が前記爪先受け部分１６以外の前記底（ソール）１４の残りの部分よりも高くなるように前記底（ソール）１４の前部分に形成されているので、前記甲（アッパー）１２の前部分の高さ（ｈ）は、好ましくは前記爪先受け部分１６の高さに比例して設定される。
【００１７】
前記中底（インソール）２０が挿入されている機能性履物１０が着用される際、図３に示すように、歩行者の体重によって、上記の中底（インソール）２０の前部分は自然に前記底（ソール）１４の爪先受け部分１６の形状に変わるので、前記爪先２２は他の部分よりも高く配置される。
【００１８】
上記のように構設された機能性履物１０に基づくと、他の一般的な履物とは異なり、歩行者の爪先２２は相対的に高く配置されるので、日常生活では通常使われない筋肉が使われて人体筋肉の均一な発達が促進され、それによって人体の大腿部と腰部の筋肉が強化される。
【産業上の利用可能性】
【００１９】
上記のように、本発明によれば、前記機能性履物の底（ソール）の爪先受け部分が、前記爪先受け部分以外の底（ソール）の残りの部分よりも高く形成されるので、歩行者の爪先は歩行者の足底の他部分よりも高く配置されるようになり、それによって、歩行者が前方向に歩行するときでさえも、後方歩行の運動効果が得られる。
【００２０】
本発明を特定の例示的な実施形態を参照して説明したが、本発明は実施形態によって限定されるものではなく、添付請求項によってのみ制限されるものとする。当業者であれば本発明の範囲及び趣旨から逸脱することなく実施形態の変更または修正を行えることは当然のことであろう。
【図面の簡単な説明】
【００２１】
本発明のさらなる目的及び利点は、添付図面と併せて以下に記載した詳細な説明によってさらに完全に理解されるであろう。なお、各添付図面の説明は下記の通りである。
【図１】図１は本発明の好適な実施形態に係る機能性履物の分解斜視図である。
【図２】図２は本発明の好適な実施形態に係る機能性履物の断面図である。
【図３】図３は本発明の好適な実施形態に係る機能性履物の使用状態を示す断面図である。
【図１】
2009533132.tif 000003
【図２】
2009533132.tif 000004
【図３】
2009533132.tif 000005
【国際調査報告】
2009533132.tif 000006
2009533132.tif 000007